(57)【要約】 【課題】  調整したベルト長さの位置ずれを確実に防止できるベルト長さの調整具を提供することを目的とするものである。【解決手段】  調整具１は金具３との間のベルト２の長さＬ１を調整し、リュックサック等に取着されるベルト２の全体長さを調整可能にする。調整具１は、枠体４を備え、枠体４は一対の摺接枠部５Ａ、５Ｂと、一対の支持枠部６Ａ、６Ｂを備え、内側に略方形状の空間を画成している。枠体４の内側には、矢印Ｘ方向にスライド可能にスライド体７が備えられる。枠体４のうち、他方の摺接枠部５Ｂには、すべり止め用の外装部材９が外装され、外装部材９は合成ゴム等により形成され、摺接枠部５Ｂに対して環状に外装させている。一端側がスライド体７に支持されたベルト２は、空間８Ｂ、８Ａと順次ベルト２の他端側が挿通され、Ｌ１の部分が長さ調整されたベルト２は、スライド体７を摺接枠部５Ｂ側にスライドさせた状態で枠体４に固定される。【選択図】  図２
2007054347.tif 000002
【特許請求の範囲】
【請求項１】
一対の対向する各辺部を、挿通するベルトの幅方向の面部に摺接可能な摺接枠部とし、一対の対向する他の各辺部を、挿通するベルトの幅方向の端部に接触可能な支持枠部とし、各摺接枠部並びに各支持枠部とにより、内側に略方形状の空間を画成する枠体と、
枠体の内側の空間において支持枠部に両端部を遊止され、挿通するベルトの一端側を支持する状態で対向する各摺接枠部に向けてスライド可能とされるスライド体と、
を備え、
スライド体に一端側が支持されたベルトの他端側を、スライド体と各摺接枠部の間に画成される各空間に順次挿通し、順次挿通されたベルトの他端側に位置する一方の摺接枠部に対し、スライド体を他方の摺接枠部に近接スライドさせることとし、スライド体と他方の摺接枠部の間にベルトを挾持させ、ベルトを枠体に対して固定可能とするとともに、スライド体と他方の摺接枠部の間に挾持されていたベルトの挾持解除を行い、ベルトの枠体に対する固定解除を可能とし、ベルトの長さ調整を可能とするベルト長さの調整具において、
上記枠体の少なくとも他方の摺接枠部に、合成ゴムあるいは天然ゴムからなるすべり止め用の外装部材を、環状に外装させたことを特徴とするベルト長さの調整具。
【請求項２】
請求項１において、上記外装部材は、他方の摺接枠部の他、一方の摺接枠部にも環状に外装させたことを特徴とするベルト長さの調整具。
【請求項３】
請求項１または２のいずれかにおいて、外装部材は、摺接枠部の周部に環状の空間を画成可能とする鋳型に、溶融された合成ゴムあるいは天然ゴムを注入し、インジェクション成形により外装させることとしてなるベルト長さの調整具。
【発明の詳細な説明】
【技術分野】
【０００１】
本発明は、肩から掛けるタイプの鞄やリュックサックなどのベルト部分に用いるのに好適とされ、該ベルトの長さを調整するためのベルト長さの調整具に関する。
【背景技術】
【０００２】
肩から掛けるタイプの鞄や背中に背負うリュックサック、デイバックなどに用いられる装着用のベルトにおいては、使用者の体の大きさなどに応じ、長さを変更できるよう一般にベルト長さの調整具が取り付けられている。こうしたベルト長さの調整具においては、使用者の歩行運動などによる負荷によって調整したベルト長さの位置ずれが起きないよう種々の工夫がなされているところである。
【０００３】
例えば、出願人は先に特開平１１−２７６２３１号に開示されるベルト長さの調整具を提案したが、該調整具は、一対の対向する各辺部を、挿通するベルトの幅方向の面部に摺接可能な摺接枠部とし、一対の対向する他の各辺部を、挿通するベルトの幅方向の端部に接触可能な支持枠部とし、各摺接枠部並びに各支持枠部とにより、内側に略方形状の空間を画成する枠体と、枠体の内側の空間において支持枠部に両端部を遊止され、挿通するベルトの一端側を支持する状態で対向する各摺接枠部に向けてスライド可能とされるスライド体とを備えるようにしている。
【０００４】
スライド体に対して、一端側を固定し、支持されたベルトは、その他端側をスライド体と各摺接枠部の間に画成される各空間に順次挿通されるようにしている。ここで順次挿通されるベルトは、一方の摺接枠部に対して、スライド体を他方の摺接枠部に近接スライドさせることとし、スライド体と他方の摺接枠部の間に該ベルトを挾持させ、ベルトを枠体に対して固定することを可能としている。
【０００５】
またスライド体を一方の摺接枠部に近接スライドさせることにより、スライド体と他方の摺接枠部の間に挾持されていたベルトの挾持解除を行い、ベルトの枠体に対する挾持解除を可能としている。
【０００６】
すなわち、上記従来例に係る調整具においては、ベルトの一端側を支持固定するスライド体を、枠体の他方の摺接枠部にスライドさせることとし、間に挿通されるベルトをスライド体との間で挾持、あるいは挾持解除することを可能とし、長さ調整されるベルトを枠体に対して固定自在とし、ベルトの長さ調整を可能にしている。
【特許文献１】特開平１１−２７６２３１号
【発明の開示】
【発明が解決しようとする課題】
【０００７】
ところで、最近のベルトは防水機能を高めるために撥水処理等、表面に特殊な加工を施すことが行われている。このような処理が行われたベルトは、通常金属で形成される調整具との間に滑りが生じ易く、せっかく調整具により、長さ調整されたベルトが調整具の摺接枠部とスライド体との間の挾持が十分でないため、序々に長くなるなどの不具合が生じていた。すなわち、このベルト長さの調整具は、適宜のベルト長さに調整し固定した状態において、ベルトと枠体との固定手段が該摺接枠部とスライド体とで押圧されて挾持されるのみであるため、ベルトの長さ方向に大きな負荷が掛かる場合に、摺接枠部とスライド体の間をベルトが負荷方向にすべり込む問題があった。
【０００８】
本発明は上記従来の不具合に着目してなされたものであり、長さ調整したベルトの位置ずれを防止することを可能とするベルト長さの調整具を提供することを目的とするものである。
【課題を解決するための手段】
【０００９】
上記課題の解決を図るべく、本願の請求項１に係る発明は、一対の対向する各辺部を、挿通するベルトの幅方向の面部に摺接可能な摺接枠部とし、一対の対向する他の各辺部を、挿通するベルトの幅方向の端部に接触可能な支持枠部とし、各摺接枠部並びに各支持枠部とにより、内側に略方形状の空間を画成する枠体と、枠体の内側の空間において支持枠部に両端部を遊止され、挿通するベルトの一端側を支持する状態で対向する各摺接枠部に向けてスライド可能とされるスライド体と、を備え、スライド体に一端側が支持されたベルトの他端側を、スライド体と各摺接枠部の間に画成される各空間に順次挿通し、順次挿通されたベルトの他端側に位置する一方の摺接枠部に対し、スライド体を他方の摺接枠部に近接スライドさせることとし、スライド体と他方の摺接枠部の間にベルトを挾持させ、ベルトを枠体に対して固定可能とするとともに、スライド体を他方の摺接枠部の間に挾持されていたベルトの挾持解除を行い、ベルトの枠体に対する固定解除を可能とし、ベルトの長さ調整を可能とするベルト長さを調整具において、上記枠体の少なくとも他方の摺接枠部に、合成ゴムあるいは天然ゴムからなるすべり止め用の外装部材を、環状に外装させたことを特徴とするベルト長さの調整具からなることを特徴とする。
【００１０】
本願の請求項２に係る発明は、請求項１において、上記外装部材は、他方の摺接枠部の他、一方の摺接枠部にも環状に外装させたことを特徴とするベルト長さの調整具からなることを特徴とする。
【００１１】
本願の請求項３に係る発明は、請求項１または２のいずれかにおいて、外装部材は、摺接枠部の周部に環状の空間を画成可能とする鋳型に、溶融された合成ゴムあるいは天然ゴムを注入し、インジェクション成形により外装させることとしてなるベルト長さの調整具からなることを特徴とする。
【発明の効果】
【００１２】
本発明は、上記のように、少なくとも他方の摺接枠部にゴム製の外装部材を外装させることとしたので、この摺接枠部とスライド体の間に挿通され、挾持されるベルトが摩擦抵抗が極めて大きい外装部材の存在により、大きな負荷がかかったときにでも、位置ずれを起こすことがなく確実に枠体に固定され、ベルト長さの調整を確実なものとすることができる。
【発明を実施するための最良の形態】
【００１３】
以下、本発明を実施するための最良の形態を図１ないし図４に基づいて説明する。実施形態に係るベルト長さの調整具１は、例えばリュックサックなどに取着されるベルト２に装着され、図２に示すようにリュックサックなどに取り付けられる金具３と調整具１の間のベルト２の長さＬ１を調整することにより、リュックサックなどに取着されるベルト２の全体長さを調整可能にするものとされる。
【００１４】
調整具１は、図１に示すように金属製の棒材を屈曲して形成され、全体略方形状をなす枠体４を備えてなる。枠体４は、図２に示すように一対の対向する各辺部を、挿通するベルト２の幅方向の面部に摺接可能な摺接枠部５Ａ、５Ｂとし、一対の対向する他の各辺部を、挿通するベルト２の幅方向の端部に接触可能な支持枠部６Ａ、６Ｂとしている。すなわち枠体４は、各摺接枠部５Ａ、５Ｂと支持枠部６Ａ、６Ｂとにより、内側に略方形状の空間を画成するようにしている。
【００１５】
枠体４の内側には、枠体４と同様、金属製の棒材にて形成されるスライド体７が備えられる。スライド体７は、棒材の各端部を環状に曲成し、その部分を枠体４の支持枠部６Ａ、６Ｂに外挿させるようにしてなり、枠体４の内側の空間において支持枠部６Ａ、６Ｂに両端部を遊止させるようにしている。すなわち、スライド体７は、図１に示すように各端部を支持枠部６Ａ、６Ｂに遊止させる状態で対向する各摺接枠部５Ａ、５Ｂに向けて、矢印Ｘ方向にスライド可能とされる。
【００１６】
スライド体７に対しては、図２に示すように、例えば長尺状をなすベルト２の一端側の部分が固定する状態で支持され、スライド体７に対するベルト２の一端部の固定はスライド体７に対してベルト２の一端部を巻回し、巻回部分のベルト２を縫合することにより行われる。こうして、一端部がスライド体７に支持・固定されたベルト２の他端部は、図２に示すように例えばリュックサックなどに取付けられる金具３を挿通する状態で折り返される。
【００１７】
図１に示す枠体４の内部には、スライド体７により、一方の摺接枠部５Ａとの間に空間８Ａが、他方の摺接枠部５Ｂとの間に空間８Ｂがそれぞれ画成され、上記金具３を挿通する状態で折り返されたベルト２の他端部は、図２に示すように空間８Ｂ、空間８Ａと順次挿通され、例えばリュックサックの所定の部分に取着するようにしている。
【００１８】
すなわち、一端部をスライド体７に支持・固定され、他端部を例えばリュックサックの所定の部分に支持されたベルト２は、図２に示すように、同じくリュックサックの所定の部分に取付けられる金具３に対する実施形態に係る調整具１のベルト２の長さＬ１を調整することにより、ベルト２の全体の長さを取り付ける例えばリュックサックにおけるベルト２の全体の長さを調整することを可能にするものである。
【００１９】
調整具１の枠体４のうち、他方の摺接枠部５Ｂには、図１および図２に示すように、すべり止め用の外装部材９が外装される。この外装部材９は、合成ゴムあるいは天然ゴムにより形成され、金属製の棒材からなる摺接枠部５Ｂにおいて図４に示すように環状に外装させるようにしている。
【００２０】
外装部材９の摺接枠部５Ｂに対する外装は、図３（ａ）に示す上下の鋳型１０Ａ、１０Ｂの内部に摺接枠部５Ｂを位置決めし、鋳型１０Ａ、１０Ｂの内部に溶融された合成ゴムあるいは天然ゴムを注入することにより行うようにしている。すなわち鋳型１０Ａ、１０Ｂの、摺接枠部５Ｂが位置決めされる湾曲部１１の周部には、矢印Ａ方向での上下の鋳型１０Ａ、１０Ｂの合型状態において（図３（ａ）参照）、環状の空間部１２が画成可能とされる。外装部材９は、図３（ｂ）に示す合型状態において空間部１２に注入口１３より溶融された合成ゴムあるいは天然ゴムを注入し、インジェクション成形によって外装されるものとされ、注入されたゴムの冷却、硬化により成形されるところである。
【００２１】
こうして少なくとも他方の摺接枠部５Ｂに、すべり止め用の外装部材９が外装された調整具１においては、図２に示すように空間８Ｂ、空間８Ａと順次ベルト２の他端部側が挿通されるものとされ、前述のように金具３と調整部１の間のベルト２の長さＬ１を調整することにより、例えばリュックサックなどに取着されるベルト２の全体長さが調整可能とされる。
【００２２】
ベルト２の長さＬ１が調整され、スライド体７を図４（ａ）に示すニュートラルな位置から、図４（ｂ）に示す他方の摺接枠部５Ｂに近接スライドさせるようにする。この状態において、スライド体７と他方の摺接枠部５Ｂ間の空間８Ｂが小さくなり、スライド体７と他方の摺接枠部５Ｂの間で、図４（ｂ）に示すように空間８Ｂを挿通するベルト２が挾持されることとなる。すなわち、この状態は、調整具１並びにベルト２が取着される例えばリュックサックを人が背負う状態とされ、図２に示すようにベルト２が金具３側に矢印Ｂ方向に引っ張られる状態とされ、かつリュックサックなどに取着されるベルト２の他端部側も矢印Ｃ方向に引っ張られる状態となる（図４（ｂ）参照）。
【００２３】
この状態においてスライド体７と他方の摺接枠部５Ｂ間に挾持されるベルト２は、すべり止め用の外装部材９に摺接する状態となり、前記のようにベルト２にそれぞれ矢印Ｂ方向並びに矢印Ｃ方向の引っ張り力が加わった場合においても、外装部材９との摩擦抵抗により、摺接枠部５Ｂとの間で滑りが発生することがない。また金具３側にベルト２が引っ張られる状態において、スライド体７は、矢印Ｂ方向にスライドされることとなり、摺接枠部５Ｂとの間でのべルト２の挾持力も増すこととなり、ベルト２は調整された長さＬ１を維持する状態で調整具１の枠体４に対して確実に固定することが可能とされる。
【００２４】
ベルト２が装着されるリュックサックなどに対して、再び金具３に対する調整具１との間の長さＬ１を調整し、ベルト２の長さ調整を行う場合は、先ずスライド体７を図４（ａ）に示すニュートラルな位置に、あるいはスライド体７を図４（ｃ）に示す一方の摺接枠部５Ａ側にスライドさせ、スライド体７と摺接枠部５Ｂ間の空間８Ｂを大きくするようにする。するとスライド体７と他方の摺接枠部５Ｂに挾持されていたベルト２の挾持解除が行われ、ベルト２の調整具１の枠体４に対する固定解除が行われることとなる。
【００２５】
すなわち、この状態において、空間８Ｂを挿通されるベルト２の金具３に対する長さＬ１の調整が自由に行えることとなる。
【００２６】
このように実施形態に係る調整具１によれば、枠体４に対してスライド体７をスライド可能とするタイプの調整具１において、長さ調整されたベルト２を確実にスライド体７と他方の摺接枠部５Ｂとの間に挾持させることが可能となり、摺接枠部５Ｂに外装される外装部材９の存在により、ベルト２と摺接枠部５Ｂとの間に滑りが生じることなく、ベルト２を確実に調整具１に固定することが可能となる。
【実施例１】
【００２７】
図５は上記実施形態の変形例に係り、実施例１としてのベルト長さの調整具１４を示すものである。前記実施形態においては、枠体４における一対の摺接枠部５Ａ、５Ｂのうち、ベルト２に荷重方向の引っ張りが加わった場合、スライド体７との間で挾持を行う他方の摺接枠部５Ｂにのみ、合成コムあるいは天然ゴムで形成されるすべり止め用の外装部材９を外装させるようにしていた。
【００２８】
一方、実施例１に係る調整具１４は、他方の摺接枠部５Ｂの他、一方の摺接枠部５Ａにも、同じく合成ゴムあるいは天然ゴムからなる外装部材９を環状に外装させるようにしている。
【００２９】
この調整具１４によれば、ベルト２が金具３側に矢印Ｂ方向に引っ張られる状態とされ、かつリュックサックなどに取着されるベルト２の他端部側にも矢印Ｃ方向に引っ張られる状態にあっても、ベルト２と摺接枠部５Ａに外装される外装部材９との間に滑りが発生することなく、より長さ調整されたベルト２を調整具１４に固定することが可能となる。その他の構成および作用については、前記実施形態と同様につき、説明を省略する。
【実施例２】
【００３０】
出願人は先に特開平１１−２７６２３１号に示すベルト長さの調整具の提案を行った。本発明はそうしたタイプの調整具にも応用することが可能とされ、図６はその調整具１５を示す斜視図である。
【００３１】
この調整具１５の方形状の枠体１６は、一対の摺接枠部１７Ａ、１７Ｂと、一対の支持枠部１８Ａ、１８Ｂを備えており、各支持枠部１８Ａ、１８Ｂの枠体１６の内側空間を臨む部分には案内溝１９が形成される。この案内溝１９には、矢印Ｘ方向にスライド可能なスライド体２０の両端部が遊止される状態とされる。
【００３２】
一対の摺接枠部１７Ａ、１７Ｂのうち、少なくとも他方の摺接枠部１７Ｂには、合成ゴムあるいは天然ゴムにて形成されるすべり止め用の外装部材９が環状に外装される。
【００３３】
このようにして構成される図６に示す調整具１５には、スライド体２０の部分に、図１に示すようにベルト２の一端部を支持・固定し、次いでベルト他端部を金具３に挿通して折り返し、さらに図６に示す空間２１Ａ、２１Ｂに順次ベルト２を挿通して使用することが可能とされる。その他の構成および作用については、前記実施形態と同様につき、説明を省略する。
【００３４】
本発明は、ベルトと調整具の枠体との間に生じる滑りを低減させ、長さ調整を確実にすることが可能とされるため、例えばカバン、リュックサックなどベルトの長さ調整が可能な分野で利用できる他、カメラや音響機器など、ベルトで吊り下げて持ち歩くタイプの吊着具などにも応用することができる。
【図面の簡単な説明】
【００３５】
【図１】本発明の実施形態に係るベルト長さの調整具を示す斜視図である。
【図２】ベルトが装着された調整具を示す斜視図である。
【図３】鋳型により、外装部材を外装させるプロセスを示す断面図である。
【図４】図２の矢印ＩＶ−ＩＶ線に沿い、調整具に対するベルトの固定状態を説明する断面図である。
【図５】本発明の実施例１に係る調整具を示す図２と同様の斜視図である。
【図６】本発明の実施例に係る調整具を示す図１と同様の斜視図である。
【符号の説明】
【００３６】
１・１４・１５                ベルト長さの調整具
２                            ベルト
３                            金具
４・１６                      枠体
５Ａ・５Ｂ・１７Ａ・１７Ｂ    摺接枠部
６Ａ・６Ｂ・１８Ａ・１８Ｂ    支持枠部
７・２０                      スライド体
８Ａ・８Ｂ                    空間
９                            外装部材
１０Ａ・１０Ｂ                鋳型
１１                          湾曲部
１２                          空間部
１３                          注入口
１９                          案内溝
【図１】
2007054347.tif 000003
【図２】
2007054347.tif 000004
【図３】
2007054347.tif 000005
【図４】
2007054347.tif 000006
【図５】
2007054347.tif 000007
【図６】
2007054347.tif 000008